(57)【要約】【課題】入射した光をシート面法線方向に対して平行に近づけて出射することができ、入射した光の利用効率が高く、且つ安価に製造可能な光学シート、該光学シートを備えた面光源装置、および該面光源装置を備えた液晶表示装置を提供する。【解決手段】面光源装置において光源より観察者側に配置され、光源から出射される光を制御して観察者側に出射する光学シートであって、透光性を有するシート状の基材層と、基材層の一方の面に形成され、光を拡散する第１の光拡散層と、を備え、第１の光拡散層が、シート面に沿って並列された、光を透過する複数の光透過部と、複数の光透過部間に配置され、光を拡散する光拡散部と、を有する、光学シート、該光学シートを備えた面光源装置、および該面光源装置を備えた液晶表示装置とする。【選択図】図１
2014071148.tif 000002
【特許請求の範囲】
【請求項１】
面光源装置において光源より観察者側に配置され、前記光源から出射される光を制御して前記観察者側に出射する光学シートであって、
透光性を有するシート状の基材層と、該基材層の一方の面に形成され、光を拡散する第１の光拡散層と、を備え、
前記第１の光拡散層が、
シート面に沿って並列された、光を透過する複数の光透過部と、
前記複数の光透過部間に配置され、光を拡散する光拡散部と、を有する、
光学シート。
【請求項２】
前記第１の光拡散層において、前記光拡散部の屈折率が前記光透過部の屈折率より低い、請求項１に記載の光学シート
【請求項３】
前記第１の光拡散層に備えられた前記光透過部が、光を拡散させることなく透過する、請求項１または２に記載の光学シート。
【請求項４】
シート面に沿って並列された、光を透過する複数の光透過部と、該複数の光透過部間に配置され、光を拡散する光拡散部と、を有する第２の光拡散層をさらに有し、
前記第１の光拡散層の前記光透過部の並列方向と前記第２の光拡散層の前記光透過部の並列方向とが、シート面法線方向から見て交差している、請求項１乃至３のいずれかに記載の光学シート。
【請求項５】
前記第１の光拡散層の前記光透過部の並列方向と、前記第２の光拡散層の前記光透過部の並列方向とが、シート面法線方向から見て直交している、請求項４に記載の光学シート。
【請求項６】
前記第２の光拡散層において、前記光拡散部の屈折率が前記光透過部の屈折率より低い、請求項４または５に記載の光学シート。
【請求項７】
前記第２の光拡散層に備えられた前記光透過部が、光を拡散させることなく透過する、請求項４乃至６のいずれかに記載の光学シート。
【請求項８】
光源と、該光源の出光側に配置された請求項１乃至７のいずれかに記載の光学シートと、を備えた面光源装置。
【請求項９】
請求項８に記載の面光源装置と、該面光源装置の出光側に配置された液晶パネルと、を備えた液晶表示装置。
【発明の詳細な説明】
【技術分野】
【０００１】
本発明は、液晶ディスプレイ装置等の液晶表示装置に用いられる面光源装置において、光源からの光を制御して出射することができる光学シート、該光学シートを備えた面光源装置、及び該面光源装置を備えた液晶表示装置に関する。
【背景技術】
【０００２】
液晶ディスプレイ装置等では、光源からの光を、映像の情報が表わされる液晶パネル（以下、「ＬＣＤ」と記載することがある。）を透過させて出射し、観察者に映像を提供する。このときＬＣＤに入射する光源からの光は、できるだけＬＣＤのパネル面法線方向に平行であることが好ましい。これにより観察者に提供する映像光の質を向上させることができる。
【０００３】
光源からの光をＬＣＤのパネル面法線方向に対して平行に近づけるためには、特許文献１や特許文献２に開示されているような光学シートを用いることが考えられる。特許文献１には、光透過部と、光透過部の入光面から入光した光の一部を、その出射面から出射させるように反射させる反射部とを備え、反射部は、入光面での入光角度よりも、出射面の出射角度が小さくなるように反射させることを特徴とする光線方向制御シート（光学シート）が開示されている。また、特許文献２には、複数の層を有しており、該複数の層のうち少なくとも１層が、光を透過可能にシート面に沿って並列され、断面形状が台形であるプリズム部（光透過部）と、該プリズム部の間に光吸収性を有する材料が充填されて形成される光吸収部と、を具備する光学機能シート層である光制御シート（光学シート）が開示されている。
【先行技術文献】
【特許文献】
【０００４】
【特許文献１】特開２００４−１２９１８号公報
【特許文献２】特開２０１０−２１７８７１号公報
【発明の概要】
【発明が解決しようとする課題】
【０００５】
上記特許文献１および特許文献２に開示されている光学シートによれば、入射した光のうち少なくとも一部をシート面法線方向に対して平行に近づけて出射することができると考えられる。しかしながら、特許文献１に開示されている光学シートは、反射層が光透過部と反射部との界面（斜面）に形成されており、このような光学シートを作製するには特許文献１の実施例に記載の通り蒸着等のプロセスが必要となる。したがって、特許文献１に開示されている光学シートは安価に製造することが困難であった。また、特許文献２に開示されている光学シートは、光吸収部が入射した光を吸収するため、光源からの光を十分に活用しきれないことがあった。
【０００６】
そこで本発明は、入射した光をシート面法線方向に対して平行に近づけて出射することができ、入射した光の利用効率が高く、且つ安価に製造可能な光学シート、該光学シートを備えた面光源装置、および該面光源装置を備えた液晶表示装置を提供することを課題とする。
【課題を解決するための手段】
【０００７】
以下、本発明について説明する。
【０００８】
請求項１に記載の発明は、面光源装置において光源より観察者側に配置され、光源から出射される光を制御して観察者側に出射する光学シートであって、透光性を有するシート状の基材層と、該基材層の一方の面に形成され、光を拡散する第１の光拡散層と、を備え、第１の光拡散層が、シート面に沿って並列された、光を透過する複数の光透過部と、該複数の光透過部間に配置され、光を拡散する光拡散部と、を有する、光学シートである。
【０００９】
請求項２に記載の発明は、請求項１に記載の光学シートにおいて、第１の光拡散層において、光拡散部の屈折率が光透過部の屈折率より低いことを特徴とする。
【００１０】
請求項３に記載の発明は、請求項１または２に記載の光学シートにおいて、第１の光拡散層に備えられた光透過部が、光を拡散させることなく透過することを特徴とする。
【００１１】
本発明において「光を拡散させることなく透過する」とは、意図的に拡散させる材料等を添加することなく形成されていることを意味し、光が透過するときに不可避的に若干の拡散が生じることは許される。
【００１２】
請求項４に記載の発明は、請求項１乃至３のいずれかに記載の光学シートにおいて、シート面に沿って並列された、光を透過する複数の光透過部と、該複数の光透過部間に配置され、光を拡散する光拡散部と、を有する第２の光拡散層をさらに有し、第１の光拡散層の光透過部の並列方向と第２の光拡散層の光透過部の並列方向とが、シート面法線方向から見て交差していることを特徴とする。
【００１３】
請求項５に記載の発明は、請求項４に記載の光学シートにおいて、第１の光拡散層の光透過部の並列方向と、第２の光拡散層の光透過部の並列方向とが、シート面法線方向から見て直交していることを特徴とする。
【００１４】
請求項６に記載の発明は、請求項４または５に記載の光学シートにおいて、第２の光拡散層の光拡散部の屈折率が光透過部の屈折率より低いことを特徴とする。
【００１５】
請求項７に記載の発明は、請求項４乃至６のいずれかに記載の光学シートにおいて、第２の光拡散層に備えられた光透過部が、光を拡散させることなく透過することを特徴とする。
【００１６】
請求項８に記載の発明は、光源と、該光源の出光側に配置された請求項１乃至７のいずれかに記載の光学シートと、を備えた面光源装置である。
【００１７】
請求項９に記載の発明は、請求項８に記載の面光源装置と、該面光源装置の出光側に配置された液晶パネルと、を備えた液晶表示装置である。
【発明の効果】
【００１８】
本発明によれば、入射した光をシート面法線方向に対して平行に近づけて出射することができ、入射した光の利用効率が高く、且つ安価に製造可能な光学シート、該光学シートを備えた面光源装置、および該面光源装置を備えた液晶表示装置を提供することができる。
【図面の簡単な説明】
【００１９】
【図１】光学シート１０の層構成を概略的に示した厚さ方向断面図である。
【図２】光学シート１０’の層構成を概略的に示した厚さ方向断面図である。
【図３】光学シート２０の層構成を概略的に示した厚さ方向断面図である。
【図４】光学シート３０の層構成を概略的に示した厚さ方向断面図である。
【図５】光学シート３０を観察者側の正面（シート面法線方向）から見た概略図である。
【図６】面光源装置１００の構造を説明する分解断面図である。
【図７】面光源装置２００の構造を説明する分解断面図である。
【図８】面光源装置３００の構造を説明する分解断面図である。
【図９】面光源装置４００の構造を説明する分解断面図である。
【図１０】映像源ユニット１の構造を説明する分解断面図である。
【発明を実施するための形態】
【００２０】
本発明の上記した作用及び利得は、次に説明する発明を実施するための形態から明らかにされる。以下本発明を図面に示す実施形態に基づき説明する。
【００２１】
＜光学シート＞
図１は、本発明の光学シートの一つの実施形態例である光学シート１０ａについて、層構成を概略的に示した厚さ方向断面図である。図１では見やすさのため、繰り返しとなる符号は一部省略している（以降に示す各図において同じ。）。
【００２２】
光学シート１０ａは、面光源装置において光源より観察者側に配置され、該光源から出射される光を制御して観察者側に出射するシート状の部材である。図１において、紙面左が光源側となる側、紙面右が観察者側となる側である。
【００２３】
光学シート１０ａは、光源側から表面マットシート層１６、粘着剤層１５、光拡散層１２ａおよび基材層１１を有する積層シートである。以下に各層について説明する。
【００２４】
基材層１１は、後で詳しく説明する光拡散層１２ａを形成するための基材となる層である。基材層１１を構成する材料の主成分は透光性を有していれば特に限定されることはない。「主成分」とは、層を構成する材料全体に対して５０質量％以上含有されている成分のことを意味する（以下同じ。）。基材層１１を構成する材料の主成分としては、例えば、ポリエチレンテレフタレート（ＰＥＴ）、ポリブチレンテレフタレート、ポリエチレンナフタレート、テレフタル酸−イソフタル酸−エチレングリコール共重合体、テレフタル酸−シクロヘキサンジメタノール−エチレングリコール共重合体などのポリエステル系樹脂、ナイロン６等のポリアミド系樹脂、ポリプロピレン、ポリメチルペンテン等のポリオレフィン系樹脂、ポリメチルメタクリレートなどのアクリル系樹脂、ポリスチレン、スチレン−アクリロニトリル共重合体等のスチレン系樹脂、トリアセチルセルロース等のセルロース系樹脂、イミド系樹脂、ポリカーボネート樹脂等を挙げることができる。これらの中でも入手の容易性、コスト、電離放射線硬化性樹脂との密着性等の観点からは、ポリカーボネート樹脂が好ましい。基材層１１を構成する樹脂中には、主成分以外に他の樹脂や各種添加剤を適宜添加してもよい。一般的な添加剤としては、フェノール系等の酸化防止剤、ラクトン系等の安定剤等を挙げることができる。また、これらの樹脂中には、必要に応じて適宜、紫外線吸収剤、充填剤、可塑剤、帯電防止剤等の公知の添加剤を加えても良い。
【００２５】
基材層１１の厚さは特に限定されることはないが、５０μｍ以上２００μｍ以下であることが好ましく、７５μｍ以上１２５μｍ以下であることがさらに好ましい。
【００２６】
基材層１１は、光拡散層１２ａが備えられる側とは反対側の表面に微細な凹凸を有するマット面が形成されていることが好ましい。これにより光学シート１０ａを液晶表示装置に用いたときに、いわゆる光学的な密着による干渉縞（ニュートンリング）を抑制することができる。特に、カーナビゲーションシステムのモニターにおいては、高温高湿の環境下で偏光板との部分的な密着による干渉縞の発生が無いことが要求されている。すなわち、光学的な密着がされる部分では、微小な空気層が形成されており、該空気層直前の界面で反射した光と、空気層を透過した後の界面で反射した光とが干渉することにより干渉縞を生じる。これに対して、基材層１１にマット面が形成されていることにより、当該干渉が生じるような空気層（例えば層厚が微小で一定である空気層）が形成されることを抑制できるので、干渉縞の発生を抑えることができる。従って、基材層１１に形成されるマット面の面粗度は、当該干渉縞を抑制することができれば特に限定されるものではないが、平均粗さ（Ｒａ）で０．１μｍ以上であることが好ましい。面粗度が小さすぎると、粗面を形成した上記効果が小さくなってしまうからである。一方、光の拡散が多くなり、光の出射範囲を制御する効果が低減する観点から、当該Ｒａは１．５μｍ以下であることが好ましい。
基材層１１にマット面を形成する方法は特に限定されず、公知の手法を採用することができる。これには例えば、エンボスが形成されたロールによる転写、サンドブラスト、印刷及び塗装等を挙げることができる。
【００２７】
光拡散層１２ａは光透過部１３および光拡散部１４ａを有している。光拡散層１２ａは、図１に示した断面を有して紙面奥／手前側に延在する。すなわち、図１に表れる断面を有して光透過部１３及び光拡散部１４ａがシート面に沿った一方向に延びるように配置されるとともに、該一方向とは異なる方向のシート面に沿って複数の光透過部１３が配列されている。そして光拡散部１４ａは光透過部１３の間に配置されている。
【００２８】
光透過部１３は光を透過する部位であり、光透過部１３は光を拡散させることなく透過する部位であることが好ましい。ここに「光を拡散させることなく透過する」とは、光を拡散させる材料等を意図的に添加することなく形成された部位であることを意味し、材料中を光が透過するときに不可避的に若干の拡散が生じることは許される。また、光透過部１３は、光透過部１３の基材層１１側の面とその反対側面（光源側の面）とが平行に形成されている。
【００２９】
光透過部１３を構成する材料は、基材層１１と同じであってもよいし、異なっていてもよい。ただし両者間で屈折率差があるとその界面で光が偏光されてしまう可能性が高まるので、同じ材料であること、又は異なる材料であっても屈折率差が小さい、あるいは屈折率差がないことが好ましい。
【００３０】
光透過部１３と基材層１１とを同じ材料で構成する場合には、基材層１１と光透過部１３とを一体に形成することもできる。また、光透過部１３と基材層１１とを異なる材料で構成する場合、及び同じ材料で構成する場合であっても、基材層１１と光透過部１３を別々に形成し、公知の手段により積層してもよい。光透過部１３の形成方法の具体例は後で説明する。
【００３１】
光透過部１３は屈折率がＮｐであり、光透過性を有する。このような光透過部１３を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。屈折率Ｎｐの値は特に限定されることはないが、適用する材料の入手性の観点等から１．４９〜１．５６であることが好ましい。
【００３２】
光拡散部１４ａは、到達した光を拡散させることができるように構成されている。詳しくは次の通りである。
【００３３】
上記したように光透過部１３はシート面に沿った方向に所定の間隔で並列され、光透過部１３間には、台形断面を有する凹部が形成されている。本実施形態における凹部は、図１に表れる断面（シート厚方向断面）において、光源側となる側から観察者側となる側に向かうにつれて幅が狭くなる台形状の断面を有した溝であり、ここに光拡散部１４ａを構成する材料が充填されることにより光拡散部１４ａが形成されている。従って光拡散部１４ａも凹部に沿った台形断面を具備している。
【００３４】
光拡散部１４ａの台形断面のうち脚部を構成する斜辺の、シート面法線に対する角度θ１（図１参照）は、０°以上２０°以下であることが好ましい。シート面法線に対する角度θ１が０°未満（本実施形態でθ１が負であるとは、図１に表れる断面において、光拡散部１４ａの基材層１１側の底の幅より光源側の底の幅が短い形状となることを意味する。）になるように光拡散部１４ａを形成するとすれば、光拡散層１２ａを形成する際に用いる金型の作製が困難になり、金型を作製したとしてもこれにより成形した材料の離型性が悪くなる。一方、θ１が大き過ぎると光透過部１３間に形成される凹部の開口幅に対する凹部の深さのアスペクト比を大きくとることが困難となり、光拡散層１２ａによる後述する所望の効果が低減する虞がある。
【００３５】
ただし、本発明において光透過部及び光拡散部の形状は図１に例示した形態に限定されない。光透過部は基材層側の面とその反対側の面とが平行に形成されていればよい。従って、図１に表れる断面に相当する断面において、光透過部および光拡散部は長方形（θ１＝０°のとき）であってもよく、上記光拡散部の台形の脚部に相当する部分が曲線状（当該曲線の接線が各部において上記θ１と同じ条件であることが好ましい。）や折れ線状（折れ線を構成する各線が上記θ１と同じ条件であることが好ましい。）であってもよい。
【００３６】
また、光拡散部１４ａと光透過部１３との界面で光を拡散させ易くするという観点からは、光拡散部１４ａと光透過部１３との界面を、微小な凹凸が無数に形成された面であるマット面としてもよい。
【００３７】
光拡散部１４ａが並列されるピッチは特に限定されないが、１０μｍ以上２００μｍ以下であることが好ましい。光拡散部１４ａのピッチが狭すぎると、光拡散層１２ａによる後述の効果が低減する虞があるとともに、微細形状になるので加工が困難になる。一方、光拡散部１４ａのピッチが広すぎると、金型で成形する際に材料の離型性が低下する傾向にある。
【００３８】
光拡散部１４ａの台形断面のうち、光源側の幅は特に限定されないが、５μｍ以上１５０μｍ以下であることが好ましい。この幅が狭すぎると光拡散層１２ａによる後述の効果が低減する虞があるとともに、微細形状になるので加工が困難になる。一方、この幅が広すぎると金型で成形する際に材料の離型性が低下する傾向にある。
【００３９】
光拡散部１４ａは、光透過部１３の屈折率Ｎｐより低い屈折率Ｎｂを有する所定の材料により構成されることが好ましい。光透過部１３の屈折率Ｎｐと光拡散部１４ａの屈折率ＮｂとをＮｐ＞Ｎｂとしたときには、光透過部１３と光拡散部１４ａとの界面において、屈折率差と該界面への入光角との関係に基づいて、臨界角以上の角度で該界面に到達した光を全反射させ、臨界角未満の角度で該界面に到達した光を光拡散部１４ａに入射させて後述するように拡散させることができる。このように光拡散層１２に入射した光を全反射や拡散させることによって、シート面法線方向に対して平行に近い角度で光学シート１０から出射される光の量を増やすことができる。ＮｐとＮｂとの屈折率の差は特に限定されるものではないが、０より大きく０．０６以下であることが好ましい。
【００４０】
光拡散部１４ａは、光を反射して拡散する材料を含有することにより光を拡散反射させることができる。このような光拡散部１４ａを構成する材料としては、例えば白色顔料や銀色顔料を混ぜた硬化性樹脂が挙げられる。この場合、当該硬化性樹脂の屈折率がＮｂである。光拡散部１４ａに用いる白色顔料としては、例えば、酸化チタン、二酸化チタン、酸化マグネシウム、酸化亜鉛などの金属酸化物が挙げられる。銀色顔料としては、例えば、アルミニウム、クロムなどの金属が挙げられる。これにより効率よく光を拡散反射させることができる。また、硬化性樹脂は光透過部１３を構成する材料と同様のものを用いることができる。上記のような材料を光透過部１３間の凹部に充填することにより、光拡散部１４ａを形成することができる。
【００４１】
光拡散層１２ａの厚さは特に限定されないが、１０μｍ以上２００μｍ以下であることが好ましい。光拡散層１２ａが薄過ぎると光拡散部１４ａの高さ（厚さ方向大きさ）が不足して所望の光学的効果が低減してしまったり、光拡散部１４ａの加工自体が困難になったりする虞がある。一方、光拡散層１２ａが厚過ぎると逆に光拡散部１４ａが高くなりすぎ、そのための金型の製造、及び金型からの材料の離型性が低下し、生産性が悪くなる虞がある。
【００４２】
次に、粘着剤層１５について説明する。粘着剤層１５は、表面マットシート層１６と光拡散層１２ａとを接着するための層である。粘着剤層１５を構成する材料としては、表面マットシート層１６と光拡散層１２ａとを接着できるものであれば特に限定されず、公知の粘着剤、接着剤、光硬化性樹脂、熱硬化性樹脂等を用いることができる。粘着剤層１５を構成する材料としては、例えばアクリル系の粘着剤を用いることができ、さらに具体的にはアクリル系共重合体とイソシアネート化合物とを組み合わせた粘着剤を挙げることができる。ただし、粘着剤層１５を構成する材料は、光学シート１０の性質上、透光性、耐候性に優れることが好ましい。
【００４３】
粘着剤層１５の厚さは特に限定されないが、１０μｍ以上１００μｍ以下であることが好ましい。粘着剤層１５の厚さを上記範囲とすることによって、粘着剤層１５の厚さを均一にしつつ、表面マットシート層１６と光拡散層１２ａとの密着性を確保しやすくなる。
【００４４】
次に、表面マットシート層１６について説明する。表面マットシート層１６は、透光性を有しており、光拡散層１２ａが備えられる側とは反対側の表面に微細な凹凸を有するマット面が形成されたシートで構成された層である。表面マットシート層１６は、上述した基材層１１を構成するシートと同様のシートによって構成することができる。このように光拡散層１２を基材層１１と表面マットシート層１６とで挟持する形態とすることによって、光学シート１０の反りを防止することができる。
【００４５】
次に、光学シート１０ａの製造方法について説明する。
【００４６】
光拡散層１２ａは金型ロールを用いる方法により形成する。すなわち、円筒状であるロールの外周面に光拡散層１２ａの光透過部１３の形状を転写可能な凹凸が設けられた金型ロールを準備する。そして金型ロールとこれに対向するように配置されたニップロールとの間に、基材層１１となる基材を挿入する。このとき基材の一方の面にはＡＧ層１５が予め形成されていることが好ましい。基材のうちＡＧ層１５が形成されていない側の面と金型ロールとの間に光透過部１３を構成する組成物を供給しながら金型ロール及びニップロールを回転させる。これにより金型ロールの表面に形成された凹凸の凹部内に光透過部１３を構成する組成物が充填され、該組成物が金型ロールの凹凸の表面形状に沿ったものとなる。
【００４７】
ここで、光透過部１３を構成する組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００４８】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００４９】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００５０】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン化合物（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部１３の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００５１】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００５２】
金型ロールと基材との間に挟まれ、ここに充填された光透過部１３を構成する組成物に対し、基材側から光照射装置により光を照射する。これにより、光透過部１３を構成する組成物を硬化させ、その形状を固定させることができる。そして、離型ロールにより金型ロールから基材層１１および成形された光透過部１３を離型する。
【００５３】
次に、光透過部１３間に形成された凹部に光拡散部１４ａを構成する組成物を充填して硬化させることによって、光拡散部１４ａを形成することができる。具体的には、電離放射線硬化性樹脂やその他公知の硬化性樹脂に、上記した光を反射して拡散する材料を分散させた組成物を凹部に過剰に供給し、ブレードによりスキージして余分な組成物を掻きとって除去するとともに、凹部に組成物を充填する。このようにして充填された組成物に対して適切な硬化方法を適用して硬化性樹脂を硬化させる。
以上により光拡散部１４ａが形成される。
【００５４】
次に、一方の面側に粘着剤層１５が形成された表面マットシート層１６となるシートを準備し、粘着剤層１５を介して当該シートを光拡散層１２ａに貼合する。このようにして、光学シート１０ａを製造することができる。
【００５５】
以上説明したように、光学シート１０ａは蒸着等のプロセスを必要とせずに、容易且つ安価に製造することができる。
【００５６】
次に、光学シート１０ａを面光源装置において光源の観察者側に配置したときの作用について説明する。図１に模式的な光路例を示した。なお当該光路例は概念的に示したものであり、屈折、反射の程度等を厳密に表したものではない。以下同様である。
【００５７】
光源から出射され、シート面法線に対して小さな角度で光透過部１３に入射した光Ｌ１１は、光透過部１３および基材層１１を透過して光学シート１０ａから出射し、ＬＣＤに提供される。一方、光源から出射されて光拡散部１４ａに入射した光Ｌ１２は、光拡散部１４ａにおいて拡散反射される。そして、拡散反射された光Ｌ１２は、基材層１１を透過して光学シート１０ａから出射し、ＬＣＤに提供される。光学シート１０ａによれば、光拡散部１４ａに達した光が吸収されることなく拡散反射されて観察者側に出射されるので、光源からの光を効率よくＬＣＤ側に出射することができる。また、シート面法線に対して大きな角度で光拡散部１４ａに入射した光を拡散反射させることによって、シート面法線に対して小さい角度で光学シート１０ａから出射する光の量を増やすことができる。すなわち、光学シート１０ａを光源とＬＣＤとの間に配設したとき、入射した光をシート面法線方向に対して平行に近づけてＬＣＤに向けて出射することができる。
【００５８】
次に、本発明の光学シートの他の実施形態例について説明する。図２は、第二実施形態にかかる光学シート１０ｂを説明する図であり、該光学シート１０ｂの図１に相当する図である。図２において、図１と同様の構成のものには同じ符号を付しており、これらについては説明を省略する。
【００５９】
光学シート１０ｂは、光源側から表面マットシート層１６、粘着剤層１５、光拡散層１２ｂおよび基材層１１を有する積層シートである。光学シート１０ｂは、上記した光学シート１０ａの光拡散層１２ａに代えて光拡散層１２ｂが適用されている点で光学シート１０ａと異なる。その他の点については、光学シート１０ｂと光学シート１０ａは同様である。
【００６０】
光学シート１０ａに備えられた光拡散層１２ａの光拡散部１４ａが光を拡散反射させるのに対して、光学シート１０ｂに備えられた光拡散層１２ｂの光拡散部１４ｂは光を透過させつつ拡散させるという点で、光学シート１０ｂは光学シート１０ａと異なる。光拡散部１４ｂは、光拡散部１４ａと同様に、光透過部１３間の凹部に形成される。到達した光を透過させつつ拡散させる光拡散部１４ｂを構成する材料としては、透明な硬化性樹脂と該硬化性樹脂とは屈折率が異なる透明な拡散剤とを混合させた材料が好ましい。当該拡散剤としては、例えば、（メタ）アクリル酸エステル及びスチレンを中心としたモノマーを重合して得られた架橋粒子が挙げられる。当該架橋粒子の具体例としては、ガンツ化成株式会社製のガンツパールが挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、拡散剤にはウレタン架橋粒子を用いることも可能である。当該ウレタン架橋粒子の具体例としては、根上工業株式会社製のアートパールが挙げられる。また、拡散剤は中空粒子にすることも可能である。
【００６１】
光学シート１０ｂも光学シート１０ａと同様に、蒸着等のプロセスを必要とせずに、容易且つ安価に製造することができる。
【００６２】
次に、光学シート１０ｂを表示装置の観察者側に配置したときの作用について説明する。図２に模式的な光路例を示した。
【００６３】
光源から出射され、シート面法線に対して小さな角度で光透過部１３に入射した光Ｌ２１は、光透過部１３および基材層１１を透過して光学シート１０ｂから出射し、ＬＣＤに提供される。一方、光源から出射され、シート面法線に対して大きな角度で光拡散層１２ｂに入射した光Ｌ２２は、光拡散部１４ｂに入射して拡散透過する。そして、拡散透過した光Ｌ２２は、基材層１１を透過して光学シート１０ｂから出射し、ＬＣＤに提供される。光学シート１０ｂによれば、光拡散部１４ｂに達した光が吸収されることなく拡散反射されて観察者側に出射されるので、光源からの光を効率よくＬＣＤ側に出射することができる。また、シート面法線に対して大きな角度の光を拡散させることによって、シート面法線に対して小さい角度で光学シート１０ｂから出射する光の量を増やすことができる。すなわち、光学シート１０ｂを光源とＬＣＤとの間に配設したとき、入射した光をシート面法線方向に対して平行に近づけてＬＣＤに向けて出射することができる。
【００６４】
次に、本発明の光学シートの他の実施形態例について説明する。図３は第三実施形態にかかる光学シート２０の断面を示し、該光学シート２０の図１に相当する図である。図３において、図１と同様の構成のものには同じ符号を付しており、これらについては説明を省略する。
【００６５】
光学シート２０は、光源側から賦型マット層１７、光拡散層１２ａおよび基材層１１を有する積層シートである。光学シート２０は、上記した光学シート１０ａの表面マットシート層１６および粘着剤層１５に代えて賦型マット層１７が適用されている点で光学シート１０ａと異なる。その他の点については、光学シート２０と光学シート１０ａは同様である。
【００６６】
賦型マット層１７は、硬化性樹脂によって構成された、透光性を有しており、光拡散層１２ａが備えられる側とは反対側の表面に微細な凹凸を有するマット面が形成されている。賦型マット層１７が有するマット面の形状は、上述した基材層１１のマット面と同様である。
【００６７】
賦型マット層１７は透明な硬化性樹脂を含む組成物によって構成されており、硬化前の硬化性樹脂を含んだ組成物を光拡散層１２ａの表面に塗工し、所定の表面形状を有する型を押しつけつつ、または押し付けた後に該硬化性樹脂を硬化させることによって形成できる。賦型マット層１７を構成する組成物としては、従来公知の硬化性樹脂を用いることができ、例えば光透過部１３を構成する組成物と同様の組成物を用いることができる。
【００６８】
光学シート２０は、光学シート１０ａと同様に、光拡散層１２ａによって所定の方向（光透過部１３の並列方向）に平行な面内において入射した光をシート面法線方向に対して平行に近づけて出射することができ、入射した光の利用効率が高く、且つ安価に製造できる。
【００６９】
なお、光学シート２０の説明では、光拡散層１２ａを備えた形態と例示して説明したが、光拡散層１２ａに代えて光拡散層１２ｂを備える形態としてもよい。
【００７０】
次に、本発明の光学シートの第四実施形態例について説明する。図４は第四実施形態例にかかる光学シート３０の断面を示し、その層構成を模式的に表した図である。
【００７１】
光学シート３０は、光源側から表面マットシート層１６、粘着剤層１５、光拡散層１２ａ（以下、「第１の光拡散層１２ａ」ということがある。）、基材層１１（以下、「第１の基材層１１」ということがある。）、粘着剤層２５、光拡散層２２（以下、「第２の光拡散層２２」ということがある。）および基材層２１（以下、「第２の基材層２１」ということがある。）を有する積層シートである。表面マットシート層１６、粘着剤層１５、第１の光拡散層１２および第１の基材層１１は上述した光学シート１０ａと同様であるので、説明を省略する。
【００７２】
第２の基材層２１は第１の基材層１１と同様の構成であり、第２の光拡散層２２は第１の光拡散層１２ａと同様の構成を有しているが、第２の光拡散層２２の光拡散部２４（図３には光透過部２３のみが表れ、光拡散部２４は表れない。）が第１の光拡散層１２ａの光拡散部１４と直交するような向きで配置されている。図５に、第１の光拡散層１２ａの光拡散部１４と第２の光拡散層２２の光拡散部２４との関係を示した。図５は、光学シート３０をＬＣＤが備えられる側の正面（シート面法線方向）から見た概略図である。
【００７３】
粘着剤層２５は、第１の基材層１１と第２の光拡散層２２とを接着するための層である。粘着剤層２５を構成する材料としては、第１の基材層１１と第２の光拡散層２２とを接着できるものであれば特に限定されず、公知の粘着剤、接着剤、光硬化性樹脂、熱硬化性樹脂等を用いることができる。粘着剤層２５を構成する材料としては、例えばアクリル系の粘着剤を用いることができ、さらに具体的にはアクリル系共重合体とイソシアネート化合物とを組み合わせた粘着剤を挙げることができる。ただし、粘着剤層２５を構成する材料は、光学シート３０の性質上、透光性、耐候性に優れることが好ましい。
【００７４】
粘着剤層２５の厚さは特に限定されないが、１０μｍ以上１００μｍ以下であることが好ましい。粘着剤層２５の厚さを上記範囲とすることによって、粘着剤層２５の厚さを均一にしつつ、第１の基材層１１と第２の光拡散層２２との密着性を確保しやすくなる。
【００７５】
光学シート３０によれば、光学シート１０ａと同様に第１の光拡散層１２ａによって所定の方向（光透過部１３の並列方向）に平行な面内において出射される光をシート面法線方向に近づけることができる効果に加えて、第２の光拡散層２２によって、その直交方向（光透過部２３の並列方向）に平行な面内においても出射される光をシート面法線方向に近づけることができる。
【００７６】
光学シート３０は、表面マットシート層１６、粘着剤層１５、第１の光拡散層１２ａおよび第１の基材層１１を含む積層シートを上述した光学シート１０ａと同様の方法で作製した後、粘着剤層２５を介して、第２の基材層２１の一方の面側に第２の光拡散層２２が形成された積層シートを貼合することによって製造できる。第２の光拡散層２２は、第１の光拡散層１２ａと同様にして形成できる。なお、粘着剤層２５は、第１の基材層１１の一方の面側に第１の光拡散層１２ａを形成する前に第１の基材層１１の他方の面側に形成しておいてもよく、第１の基材層１１と第２の光拡散層２２とを貼り合わせる際に第１の基材層１１または第２の光拡散層２２の表面に形成してもよい。粘着剤層２５が紫外線硬化性樹脂等からなる場合には、粘着剤層２５を介して第１の基材層１１と第２の光拡散層２２とを積層した後に紫外線等を照射して硬化させればよい。
【００７７】
これまでの光学シート３０の説明では、図５に示したように、光学シートの正面視において、第１の光拡散層の光拡散部と第２の光拡散層の光拡散部とが、それぞれ光学シートの四辺のいずれかに平行に並列された形態を例示して説明した。しかしながら、本発明はかかる形態に限定されず、第１の光拡散層の光拡散部と第２の光拡散層の光拡散部とは、光学シートの正面視においてそれぞれ光学シートの四辺に対して傾斜した方向に並列されていてもよい。このとき、光学シートを正面から見たときの第１の光拡散層の光拡散部と第２の光拡散層の光拡散部との交差角はとくに限定されないが、例えば、４５°以上９０°以下であることが好ましく、９０°であることがより好ましい。
【００７８】
また、これまでの光学シート３０の説明では、第１の光拡散層と第２の光拡散層の表裏が同一方向、すなわち、どちらについても基材層が観察者側となるように配置された形態を例示して説明したが、本発明はかかる形態に限定されず、第１の光拡散層と第２の光拡散層のどちらか若しくは両方が図示した形態と表裏が反対の形態であってもよい。
【００７９】
また、これまでの光学シート３０の説明では、第１の光拡散層１２ａと第２の光拡散層２２とを備える形態を例示して説明したが、本発明はかかる形態に限定されず、第１の光拡散層と第２の光拡散層のどちらか若しくは両方を、光拡散層１２ｂのように光を透過拡散する層としてもよい。
【００８０】
また、これまでの光学シート３０の説明では、表面マットシート層１６および粘着剤層１５を備えた形態を例示して説明したが、本発明の光学シートはかかる形態に限定されない。上述した光学シート２０と同様に、表面マットシート層１６および粘着剤層１５に替えて賦型マット層１７を備える形態としてもよい。
【００８１】
＜面光源装置＞
次に、本発明の面光源装置について説明する。上述した本発明の光学シートは、液晶表示装置等に用いられる面光源装置に適用することができる。
【００８２】
本発明の面光源装置は光源と上述した本発明の光学シートとを備えている。以下の本発明の面光源装置の説明では、上述した光学シート１０ａを備えた形態を例示しているが、光学シート１０ａに替えて本発明の他の形態の光学シート（例えば、光学シート１０ｂ、光学シート２０、光学シート３０等。）を備えた形態としてもよい。
【００８３】
図６は、本発明の面光源装置の一つの実施形態例である面光源装置１００の構造を説明する分解断面図である。
【００８４】
面光源装置１００は、光源１０１を備えており、光源１０１から観察者側に向かって拡散シート１０２、プリズムシート１０３、反射型偏光シート１０４および光学シート１０ａを列記した順で備えている。これらの構成要素は、公知の粘着剤等によって互いに位置を固定される。
【００８５】
光源１０１は、液晶表示装置の光源である。ここには通常の液晶ディスプレイパネルユニットに用いられるバックライトを用いることができる。これには例えば、発光源を面内に略均等に配置して面状の光源とする形式や、縁（エッジ）に発光源を配置して反射面等を利用して最終的に面状に光を出射するエッジ入力型とする形式等を挙げることができる。
【００８６】
拡散シート１０２は、光源１０１からの光を等方的に拡散させて出射するシート状の部材である。拡散シート１０２としては、通常の液晶ディスプレイパネルユニットに用いられる拡散シートを用いることができる。
【００８７】
プリズムシート１０３は、シート状の基材上に光源１０１とは反対側に突出するように複数の単位プリズムが形成された部材であり、該プリズムにおいて臨界角以上の光を全反射させて光源１０１側に戻すとともに、臨界角以下の光を正面に向け出射することによって、正面輝度を向上させることができる。プリズムシート１０３としては、通常の液晶ディスプレイパネルユニットに用いられるプリズムシートを用いることができる。
【００８８】
上記プリズムシート１０３の観察者側には、拡散シートを設けてもよい。当該拡散シートは、プリズムシート１０３から出射された光を均一にするための部材であり、通常の液晶ディスプレイパネルユニットに用いられる拡散シートを用いることができる。
【００８９】
反射型偏光シート１０４は、所定の偏光した光を透過し、それ以外の光を反射することができる偏光シートである。これによれば、透過しない光は反射されて再利用に供されるので輝度の向上を図ることが可能となる。ここに用いられる反射型偏光シートは公知のシートを用いることができる。
【００９０】
上述したように、本発明の光学シートによれば、入射した光をシート面法線方向に対して平行に近づけて出射することができ、入射した光の利用効率が高く、且つ安価に製造できる。よって、本発明の光学シートを備えた面光源装置１００によれば、光源１０１からの光を観察者側の表面の法線方向に対して平行に近づけて映像源へと効率良く提供することができ、製造コストを低減させることができる。
【００９１】
図７は、本発明の面光源装置の他の実施形態例である面光源装置２００の構造を説明する分解断面図である。
【００９２】
面光源装置２００は、光源１０１を備えており、光源１０１から観察者側に向かって拡散シート１０２、プリズムシート１０３、光学シート１０ａおよび反射型偏光シート１０４を列記した順で備えている。面光源装置２００を構成するこれらの要素は、配列順が異なる以外は上述した面光源装置１００と同様である。
【００９３】
特許文献２に開示されているような入射した光の一部を吸収する光学シートを用いる場合には、プリズムシートや反射型偏光シートによって光源側に戻された光が当該光学シートで吸収されて光源からの光の利用効率が低下してしまうことを防止するため、プリズムシート及び反射型偏光シートよりも観察者側に当該光学シートを配置する必要があった。一方、本発明の光学シートは、図７に示したように光源１０１と反射型偏光シート１０４との間に配置したとしても、反射型偏光シート１０４によって光源１０１側に戻された光を吸収せずに拡散させることができるので、光の利用効率の低下を抑制できる。
【００９４】
また、本発明の光学シートを備えた面光源装置２００によれば、光源１０１からの光を観察者側の表面の法線方向に対して平行に近づけて映像源へと効率良く提供することができ、製造コストを低減させることができる。
【００９５】
図８は、本発明の面光源装置のさらに他の実施形態例である面光源装置３００の構造を説明する分解断面図である。
【００９６】
面光源装置３００は、光源１０１を備えており、光源１０１から観察者側に向かって拡散シート１０２、光学シート１０ａ、プリズムシート１０３および反射型偏光シート１０４を列記した順で備えている。面光源装置３００を構成するこれらの要素は、配列順が異なる以外は上述した面光源装置１００と同様である。
【００９７】
上述したように、特許文献２に開示されているような入射した光の一部を吸収する光学シートを用いる場合には、プリズムシート及び反射型偏光シートよりも観察者側に当該光学シートを配置する必要があった。一方、本発明の光学シートは、図８に示したように光源１０１とプリズムシート１０３との間に配置したとしても、プリズムシート１０３によって光源１０１側に戻された光を吸収せずに拡散させることができるので、光の利用効率の低下を抑制できる。
【００９８】
また、本発明の光学シートを備えた面光源装置３００によれば、光源１０１からの光を観察者側の表面の法線方向に対して平行に近づけて映像源へと効率良く提供することができ、製造コストを低減させることができる。
【００９９】
図９は、本発明の面光源装置のさらに他の実施形態例である面光源装置４００の構造を説明する分解断面図である。
【０１００】
面光源装置４００は、光源１０１を備えており、光源１０１から観察者側に向かって拡散シート１０２、光学シート１０ａ’、および反射型偏光シート１０４を列記した順で備えている。面光源装置４００は、光学シート１０ａおよびプリズムシート１０３に代えて光学シート１０ａ’を備えている点で面光源装置３００と異なる。
【０１０１】
光学シート１０ａ’は光学シート１０ａにプリズムシート１０３の機能を付加したものである。プリズムシート１０３はシート状の基材上に単位プリズムを複数形成することによって構成されている。光学シート１０ａ’では、基材層１１上にプリズムシート１０３と同様の単位プリズム１０３ａが複数形成されている。このようにして本発明の光学シートとプリズムシートとを一体化させることによって、プリズムシートを備えている場合と同様の効果を奏しつつ、面光源装置を構成する層の界面の数を減らすことができる。界面の数を減らすことにより、面光源装置において界面でロスする光の量を減らすことができる。また、本発明の光学シートとプリズムシートとを一体化させることによって、面光源装置の製造コストを低減することもできる。
【０１０２】
これまでの本発明の面光源装置の説明では、拡散シート１０２およびプリズムシート１０３を備えた形態を例示して説明したが、これらは必須の要素ではない。また、本発明の光学シートによる効果を妨げない限りにおいて、例示した以外に従来公知の面光源装置に備えられる部材が備えられていてもよい。
【０１０３】
＜液晶表示装置＞
次に、本発明の液晶表示装置について説明する。上述した本発明の面光源装置は、液晶表示装置に適用することができる。
【０１０４】
本発明の液晶表示装置は上述した本発明の面光源装置と液晶パネルとを備えている。以下の本発明の液晶表示装置の説明では、上述した面光源装置１００を備えた形態を例示しているが、面光源装置１００に代えて本発明の他の形態の面光源装置（例えば、面光源装置２００や面光源装置３００または面光源装置１００、２００、３００において光学シート１０ａに代えて光学シート１０ｂ、光学シート２０、光学シート３０等の本発明の他の光学シートを備えた面光源装置。）を備えた形態としてもよい。
【０１０５】
図１０は、本発明の液晶表示装置の一つの実施形態例である液晶表示装置のうち、該面光源装置１００を具備する映像源ユニット１の部分に注目してその断面を示し、層構成を模式的に表した図である。映像源ユニット１は、液晶ディスプレイパネルユニットである。図１０では紙面右が観察者側となる。なお、面光源装置１００の構成は上述した通りであり、図１０では面光源装置１００を簡略化して示している。
【０１０６】
映像源ユニット１は、面光源装置１００、映像源１１０および映像光制御シート１２０を備えている。
【０１０７】
映像源１１０は、液晶表示装置の映像が表される部位であり、偏光板１０５、１０７およびこれらに挟まれた液晶パネル１０６を備えている。
【０１０８】
偏光板１０５、１０７は、液晶パネル１０６を挟むように配置される一対の光学要素であり、吸収軸方向に平行な振動面を有する偏光光を吸収する一方、吸収軸方向に直交する振動面を有する偏光光を透過する機能を有する。当該偏光板１０５、１０７と液晶パネル１０６を透過した光源１０１（図６参照）の光が映像光となり観察者側に出射される。
【０１０９】
液晶パネル１０６には、ここに出射されるべき映像情報が表されている。ここには通常の液晶ディスプレイパネルユニットに用いられる液晶パネルを用いることができる。
【０１１０】
映像光制御シート１２０は、液晶表示装置の最も観察者側に備えられて該液晶表示装置によって表示される映像光を改質する機能を有する層が積層された積層シートであり、従来公知の液晶表示装置に用いられるものを適用することができる。当該積層シートに備えられる層としては、例えば、液晶表示装置の視野角を制御する機能を有する層、アンチグレア層、反射防止層、ハードコート層、帯電防止層、偏光フィルタ層、防汚層等を挙げることができる。
【０１１１】
アンチグレア層は、観察者が画面を見た時のぎらつきを防止することができる機能を有する層であり、ＡＧ層ともいわれる。アンチグレア層は、例えば、通常に入手できる防眩フィルムによって構成することができる。
反射防止層はいわゆるアンチリフレクション層であり、ＡＲ層ともいわれる。これは反射を防止することができる機能を有するフィルムが配置される。
ハードコート層は、ＨＣ層ともいわれる。これは、画像表示面に傷がつくことを抑えるために耐擦傷性を付与することができる機能を有するフィルムが配置された層である。
帯電防止層は、アンチスタティック（ＡＳ）層ともいわれる。これは、帯電、すなわち静電気が帯電することを防止することができる機能を有するフィルムが配置された層である。これには通常に入手できるＡＳフィルムを適用することが可能である。
防汚層は画面表面の汚れを防止することができる機能を有するフィルムが配置された層である。
偏光フィルタ層は、上記した偏光フィルタと同様のものである。必要に応じてここに配置してもよい。
【０１１２】
以上、現時点において、最も実践的で好ましいと思われる実施形態に関連して本発明を説明したが、本発明は、本願明細書中に開示された実施形態に限定されるものではなく、特許請求の範囲および明細書全体から読み取れる発明の要旨あるいは思想に反しない範囲で適宜変更可能であり、そのような変更を伴う光学シート、面光源装置および液晶表示装置もまた本発明の技術的範囲に包含されるものとして理解されなければならない。
【符号の説明】
【０１１３】
１  映像源ユニット
１０ａ、１０ｂ  光学シート
１１  基材層（第１の基材層）
１２ａ  光拡散層（第１の光拡散層）
１２ｂ  光拡散層
１３  光透過部
１４ａ、１４ｂ  光拡散部
１５  粘着剤層
１６  表面マットシート層
１７  賦型マット
２０  光学シート
２１  基材層（第２の基材層）
２２  光拡散層（第２の光拡散層）
２３  光透過部
２４  光拡散部
２５  粘着剤層
１００、２００、３００  面光源装置
１０１  光源（バックライト）
１０２  拡散シート
１０３  プリズムシート
１０４  反射型偏光シート
１０５  偏光板
１０６  液晶パネル
１０７  偏光板
１１０  映像源
１２０  映像光制御シート
【図１】
2014071148.tif 000003
【図２】
2014071148.tif 000004
【図３】
2014071148.tif 000005
【図４】
2014071148.tif 000006
【図５】
2014071148.tif 000007
【図６】
2014071148.tif 000008
【図７】
2014071148.tif 000009
【図８】
2014071148.tif 000010
【図９】
2014071148.tif 000011
【図１０】
2014071148.tif 000012